(57)【要約】【課題】LEDチップに蛍光材を混入する際、その成分比例、塗布範囲、塗布分量の調整が容易で、予定の光色を出し、輝度を高める多波長の発光ダイオード及びそのLEDチヅプ構造を提供する。【解決手段】多波長の発光ダイオード及びそのLEDチップ構造は、LEDチップの底部に少なくとも一個の既定波長を具えた蛍光層を設置する。LEDチップをキャリアに定置し、金属ワイヤーでLEDチップの回路に連結し、カバー材で覆う。これにより、LEDチップの光源と蛍光層の波長が結合し、予定の光色を発する多波長発光ダイオードを形成する。【選択図】図2
2006278830.tif 000002
【特許請求の範囲】
【請求項１】
チップにおいて、LEDチップの底部に少なくとも一個の既定波長を具えた蛍光層を設置することを特徴とするLEDチップ構造。
【請求項２】
チップにおいて、LEDチップの底部に二層以上の既定波長を具えた蛍光層を設置し、且つ最下層の底部には反射材を設置することを特徴とするLEDチップ構造。
【請求項３】
前記反射材は、表面に既定の反射紋を具えるか、もしくは平板状の天然結晶体であることを特徴とする請求項2記載のLEDチップ構造。
【請求項４】
前記反射材は、蛍光層内に反射粒子を混入することを特徴とする請求項2記載のLEDチップ構造。
【請求項５】
前記蛍光層は、単一、もしくは二種以上の蛍光粉を適する比率で混合して作ることを特徴とする請求項1記載のLEDチップ構造。
【請求項６】
発光ダイオードにおいて、キャリア上に少なくとも一個のLEDチップを設置し、別に金属ワイヤーでLEDチップの回路と連結し、カバー材で各LEDチップを覆うもので、各LEDチップの底部には少なくとも一個の既定波長を具えた蛍光層を設置することを特徴とする多波長の発光ダイオード。
【請求項７】
前記カバー材は、既定比率によって、既定波長を具えた蛍光材を少なくとも一種混合することを特徴とする請求項6記載の多波長の発光ダイオード。
【請求項８】
発光ダイオードにおいて、キャリア上に少なくとも一個のLEDチップを設置し、別に金属ワイヤーでLEDチップの回路を連結し、カバー材で各LEDチップを覆い、各LEDチップの底部には少なくとも一個の既定波長を具えた蛍光層を設置するもので、LEDチップの最下層の蛍光層には反射材を設置することを特徴とする多波長の発光ダイオード。
【請求項９】
前記反射材は、平板状、もしくは既定反射紋を具えた天然結晶体であることを特徴とする請求項8記載の多波長の発光ダイオード。
【請求項１０】
前記反射材は、蛍光層内に反射粒子を混入することを特徴とする請求項8記載の多波長の発光ダイオード。
【発明の詳細な説明】
【技術分野】
【０００１】
本発明は、多波長の発光ダイオード及びそのLEDチップ構造に関するもので、正確な光の色を出し、更に有効に輝度効果を高めるものである。
【背景技術】
【０００２】
一般に発光ダイオードの基本構造は、関連のカバー材によってLEDチップが覆われ、金属ワイヤーによってLEDチップ電極と関連回路が連結される。LEDチップが通電すると、光源が発生し、その光源は覆われているカバー材から外に向けて照射される。続いてLEDチヅプの光源とカバー材内の蛍光材が波長結合し、予定の光色を形成する。
【０００３】
図1に示すとおり、公知の発光ダイオードは、基板10を直接LEDチップのキャリアとする発光ダイオード構造であり、この種の発光ダイオードは、基板10の既定位置表面に凹台11を設置する。この凹台11がLEDチップ20の定置及びカバー材30が覆う空間となる。実施時、LEDチップ20と基板20(若しくは類似のキャリア)の間にチップ固定材40を塗布し、LEDチップ20の定置する。
【０００４】
しかしながら、この方法は、LEDチップ20底部の一部分にチップ固定材40を埋め込むため、発光ダイオード全体の輝度効果を落としている。そのため、チップ固定材40内に蛍光材を混入し、LEDチップ20の光源を蛍光材の波長に結合させて予定の光色を形成する。
【発明の開示】
【発明が解決しようとする課題】
【０００５】
解決しようとする問題点は、チップ固定材に蛍光材を混入する際、その成分比例、塗布範囲、塗布分量の調整が容易でなく、確実且つ正確に発光ダイオードの光色を出すことが困難な点である。
【課題を解決するための手段】
【０００６】
本発明は、LEDチップの底部に少なくとも一個の既定波長を具えた蛍光層を設置する。LEDチップをキャリアに定置し、金属ワイヤーでLEDチップの回路に連結し、カバー材で覆う。これにより、LEDチップの光源と蛍光層の波長が結合し、予定の光色を発する多波長発光ダイオードを形成することを最も主要な特徴とする。
【発明の効果】
【０００７】
本発明の多波長の発光ダイオード及びそのLEDチップ構造は、LEDチップに蛍光材を混入する際、その成分比例、塗布範囲、塗布分量の調整が容易で、発光ダイオードの光色を出し、輝度を高めるという利点がある。
【発明を実施するための最良の形態】
【０００８】
以下、本発明の実施例について、図面を参照しながら説明する。
【実施例１】
【０００９】
図2に示すとおり、LEDチップ20の底部に少なくとも一個の既定波長を具えた蛍光層50を設置する。この蛍光層50は単一の蛍光粉もしくは二種以上の蛍光粉を比例混合したものである。図3に示すとおり、このLEDチップ20を基板10の予定空間位置(もしくは類似機能を具えたキャリア上)に定置し、金属ワイヤー60でLEDチップ20の回路と連結し、カバー材30で覆う。これらによってLEDチップ20の光源と蛍光層50が波長結合し、予定光色を具えた多波長発光ダイオードを形成する。
【００１０】
蛍光層50は、先ずLEDチップ20の底部に固定する。これによって塗布範囲及び塗布分量を予め調整することができ、確実に蛍光層50から発生する光色の質を制御できる。
【実施例２】
【００１１】
具体的に実施するとき、図4に示すとおり、LEDチップ20底部に複数の既定波長を具えた蛍光層50を設置し、更に多量の波長が結合して予定の光色を形成する。
【実施例３】
【００１２】
図5に示すとおり、一つの発光ダイオード内に複数個のLEDチップ20を設置し、各LEDチップ20の底部には少なくとも一個の既定波長を具えた蛍光層50を設置するか、もしくはカバー材30内に既定比例の少なくとも一種の既定波長を具えた蛍光材を混入することによって、更に多量の波長が結合して予定の光色を形成する。
【実施例４】
【００１３】
図6に示すとおり、LEDチップ20の最下層の蛍光層50に反射材70を設置する。これによって発光ダイオードの輝度効果を向上させる。この反射材70は、蛍光層50底部に設置する平板天然結晶体とする。
【実施例５】
【００１４】
図7に示すとおり、上述の天然結晶体が表面に既定反射紋を具えてもよい。
【実施例６】
【００１５】
図8に示すとおり、蛍光層50内に直接反射粒子を混入しても、発光ダイオードの光源が既定方向へ照射することができ、輝度効果を高める。
【図面の簡単な説明】
【００１６】
【図１】公知の発光ダイオードの構造断面図である。
【図２】本発明第一実施例の発光チップ外観立体図である。
【図３】本発明第一実施例の発光ダイオード構造断面図である。
【図４】本発明第二実施例の発光ダイオード構造断面図である。
【図５】本発明第三実施例の発光ダイオード構造断面図である。
【図６】本発明第四実施例の発光ダイオード構造断面図である。
【図７】本発明第五実施例の発光ダイオード構造断面図である。
【図８】本発明第六実施例の発光ダイオード構造断面図である。
【符号の説明】
【００１７】
10  基板
11  凹台
20  LEDチップ
30  カバー材
40  チップ固定材
50  蛍光層
60  金属ワイヤー
70  反射材
【図１】
2006278830.tif 000003
【図２】
2006278830.tif 000004
【図３】
2006278830.tif 000005
【図４】
2006278830.tif 000006
【図５】
2006278830.tif 000007
【図６】
2006278830.tif 000008
【図７】
2006278830.tif 000009
【図８】
2006278830.tif 000010